(57)【要約】【課題】  キッチンのコンロ部分の隅のスペースを有効活用するキッチン用具置きを提供すること、キッチンのコンロ部分の空間に圧迫感のないキッチン用具置きを提供すること、外観の良いキッチン用具置きを提供すること、及びキッチン用具置きの敷き台を提供することを課題とする。【解決手段】キッチンのコンロ部分の角に対してはめ込み可能な手段を有する足部を備え、当該足部をキッチンのコンロ部分の角に対してはめ込む、キッチン用具置き部にキッチン用具を置くこと、また、キッチン用具置きの敷き台を置くことにより課題を解決する。【選択図】    図１
2005081123.tif 000002
【特許請求の範囲】
【請求項１】
キッチンのコンロ部分の角に対してはめ込み可能な手段を有する足部を備えたことを特徴とするキッチン用具置き。
【請求項２】
前記はめ込み可能な手段が、コンロ部分の角の形状に沿う切り込みであることを特徴とする請求項１記載のキッチン用具置き。
【請求項３】
前記はめ込み可能な手段が、直角の切り込みであることを特徴とする請求項１記載のキッチン用具置き。
【請求項４】
前記はめ込み可能な手段が、鈍角の切り込みであることを特徴とする請求項１記載のキッチン用具置き。
【請求項５】
前記はめ込み可能な手段が、コンロ部分の角の形状に沿う二本の脚であることを特徴とする請求項１記載のキッチン用具置き。
【請求項６】
前記はめ込み可能な手段が、コンロ部分の角の形状に沿う三本の脚であることを特徴とする請求項１記載のキッチン用具置き。
【請求項７】
キッチン用具置きにおいて、キッチン用具置き部を支える足部となる敷き台であって、キッチンのコンロ部分の角に対してはめ込み可能な手段を備えたことを特徴とするキッチン用具置きの敷き台。
【請求項８】
前記はめ込み可能な手段が、コンロ部分の角の形状に沿う切り込みであることを特徴とする請求項７記載のキッチン用具置きの敷き台。
【請求項９】
前記はめ込み可能な手段が、直角の切り込みであることを特徴とする請求項記載のキッチン用具置きの敷き台。
【請求項１０】
前記はめ込み可能な手段が、鈍角の切り込みであることを特徴とする請求項７記載のキッチン用具置きの敷き台。
【発明の詳細な説明】
【技術分野】
【０００１】  この発明は、キッチンのコンロ部分の角にはめ込み可能な手段を有する、キッチン用具置き及びキッチン用具置きの敷き台に関する。
【背景技術】
【０００２】  従前より、キッチンのコンロ部分の隅に置くことのできる、なべややかんなどのキッチン用具置きとして、キッチンラックが存在する（
【非特許文献１】及び
【非特許文献２】参照）。
【０００３】  しかしながら、上記従来例にあっては、キッチンラックの大きさが大きいため、コンロの隅の空間を殆ど占有してしまい、それによって大変な圧迫感を生じさせるという不都合があった。【０００４】  また、無機質なスチール製のため、見た目に冷たい印象を受け、外観が悪いという不都合があった。
【非特許文献３】  株式会社ムトウ  『生活雑貨』２００３秋冬号１８８ページの写真８
【非特許文献４】  東急百貨店通信販売事業部  『しまい上手』２００２冬号２５ページの写真８
【発明の開示】
【発明が解決しようとする課題】
【０００５】  本発明は、かかる従来例の有する不都合を改善し、特に、キッチンのコンロ部分の隅のスペースを有効活用するキッチン用具置きを提供することを課題とする。【０００６】  また、キッチンのコンロ部分の空間に、圧迫感のないキッチン用具置きを提供することを課題とする。【０００７】  また、外観の良いキッチン用具置きを提供することを課題とする。【０００８】  また、キッチン用具置きの敷き台を提供することを課題とする。
【課題を解決するための手段】
【０００９】  上記課題を解決するため、本発明に係るキッチン用具置きでは、なべややかんなどのキッチン用具を直接置くキッチン用具置き部と、キッチンのコンロ部分の角にはめ込むことのできる手段を有する足部とからなる構成を採っている。【００１０】  通常、キッチンのコンロ部分の角は、完全な９０度の直角、若しくは角度は９０度であるが直角ではない丸みを帯びた角であることが多い。そのため、キッチン用具置きの足部に９０度以上の切れ込みを入れることにより、上記コンロ部分の角にはめ込むことのできる手段とするものである。そして、当該切れ込みは、きっちりとキッチンのコンロ部分の角にはめ込めるように、完全な９０度の直角、若しくは角度は９０度であるが丸みを帯びた形状であることが、キッチンのコンロ部分の角にぴったりはまるため望ましい。しかし、キッチンのコンロ部分の角にぴったりはまらなくとも、９０度以上切れ込みを入れることにより、コンロ部分の角にはめ込むことは可能であるので、それでも良い。【００１１】  また、当該足部の切れ込みは、円の中心部まで切れ込みが達していなくても、あるいは円の中心以上に切れ込んでいても、コンロ部分にはめ込められる限りは、その形状でも良い。【００１２】  さらに、キッチン用具置き部の上にキッチン用具を置くことができる平面を確保できるならば、キッチン用具置き部は必ずしも円形である必要はない。つまり、キッチン用具置き部の形状は円形だけでなく、三角形や四角形などの多角形、象やチューリップなどの動植物や、星型などの幾何学的図形でも良い。【００１３】  また、上記足部のコンロ部分の角にはめ込むことのできる手段は、９０度以上の切れ込みを入れることだけに限らない。キッチン用具置き部を支えることができ、さらに、足部をコンロ部の形状にはめ込めることができればよいので、２本脚や３本脚といった複数足を採用しても良い。【００１４】  通常、キッチンのコンロ部分は、その周りよりも高さがある。そして、そのコンロ部分の高さよりも、キッチン用具置き部の下限を高くすることにより、本発明に係るキッチン用具置きは、コンロの隅にすっぽりはめ込むことができるのである。【００１５】  また、キッチン用具置きの足部のみを製造し、これをキッチン用具置きの敷き台として、任意のキッチン用具置きを当該敷き台の上に載せて使用しても良い。【００１６】  これにより、キッチンのコンロ部分の隅におくことのできる、外観の良いキッチン用具置き及びキッチン用具置きの敷き台を提供することができるため、前述した目的を達成する。
【発明の効果】
【００１７】  これによると、キッチンのコンロ部分の隅の空間を有効活用した、圧迫感がなく外観も良いという、従来にない優れたキッチン用具置き及びキッチン用具置きの敷き台を提供することができる。
【発明を実施するための最良の形態】
【００１８】  以下、本発明の一実施形態を図１及至７を使用して説明する。【００１９】  図１は、本発明に係るキッチン用具置きの使用状態を表す斜視図である。図面に示すように、当該キッチン用具置きは、キッチン用具置き部１と足部２から構成されており、キッチン用具置き部１になべややかんなどのキッチン用具を置くことができる。また、足部２に切れ込みを有していることにより、コンロ部にはめこむことができる。【００２０】  図２は、本発明に係るキッチン用具置きの使用状態を表す斜視図である。【００２１】  図３は、本発明に係るキッチン用具置きの斜視図である。【００２２】  図４は、本発明に係るキッチン用具置きの分解斜視図である。【００２３】  図５は、図３のキッチン用具置きのＡ−Ａ断面図である。【００２４】  図６は、本発明に係る２本脚の足部を有するキッチン用具置きの平面図である。２本脚がコンロ部に接し、安定してキッチン用具を置くことができる。【００２５】  図７は、本発明に係る３本脚の足部を有するキッチン用具置きの平面図である。３本の脚は、そのうち２本がコンロ部に接するようについており、残りの１本は２本足脚の中間についている。そのため、脚のついていない空間ができ、その部分をコンロ部の角に接するようにすると、キッチン用具置きをすっぽりはめ込むことができる。３本脚はとても安定しているため、キッチン用具置きの上には安心してキッチン用具を置くことができる。【００２６】  本発明は以上のような構造で、これを使用するときには、キッチン用具置きの足部２をキッチンのコンロ部の角にはめ込むだけでよい。【００２７】  本発明の範囲は、上記実施形態の範囲に限られず、種々の変更が可能である。例えば、キッチン用具置き部１の素材は、陶器やタイルや木材等がある。足部２の素材も同様に、陶器やタイルや木材等がある。キッチン用具置き部１の素材と足部２の素材とは、同じであっても良いし、異なっていても良い。【００２８】  また、キッチン用具置き部１の形状は円形だけでなく、三角形や四角形などの多角形、象やチューリップなどの動植物や、星型などの幾何学的図形でも良い。【００２９】  また、足部２はコンロの角に沿った切り込みを入れた形でも良いし、二本脚や三本脚などの複数脚にしても良い。【００３０】  また、キッチン用具置きの足部２のみを製造し、これをキッチン用具置きの敷き台として、任意のキッチン用具置きを当該敷き台の上に載せて使用しても良い。つまり、図１及至５に図示されたキッチン用具置きの足部２のみをキッチン用具置きの敷き台として製造し、当該敷き台をキッチン用具置き部１となる他の物品と組み合わせて使用するのである。これにより、使用者の好みに合ったキッチン用具置き（キャラクター物やシンプルな物等）を、当該キッチン用具置きの敷き台と組み合わせて使用することができ、前記の目的を達成できる。
【図面の簡単な説明】
【００３１】
【図１】本発明に係るキッチン用具置きの使用状態を表す斜視図である。
【図２】本発明に係るキッチン用具置きの使用状態を表す斜視図である。
【図３】本発明に係るキッチン用具置きの斜視図である。
【図４】本発明に係るキッチン用具置きの分解斜視図である。
【図５】図３のキッチン用具置きのＡ−Ａ断面図である。
【図６】本発明に係る２本脚のキッチン用具置きの平面図である。
【図７】本発明に係る３本脚のキッチン用具置きの平面図である。
【符号の説明】
【００３２】１  キッチン用具置き部
２  足部
【図１】
2005081123.tif 000003
【図２】
2005081123.tif 000004
【図３】
2005081123.tif 000005
【図４】
2005081123.tif 000006
【図５】
2005081123.tif 000007
【図６】
2005081123.tif 000008
【図７】
2005081123.tif 000009